(57)【要約】【課題】車両に取り付けられるナンバープレートの装飾性を向上させることができる簡易な構成の装飾部材を提供する。【解決手段】板状物１０とナンバープレート２０とは、ナンバープレート２０の周囲にて板状物１０の一面１０ａの周縁部を露出させた状態で重ね合わせて、ボルト２１，２１を用いて車両に共締めされている。一面１０ａに設けられている反射部１１は、装飾部材１の外部の光源からの光を再帰反射する。この結果、ナンバープレート２０の周囲が発光した場合又はナンバープレート２０の周囲を照明した場合と同様に、ナンバープレート２０の装飾性を向上させることができる。しかも、このために装飾部材１が光源を備えている必要はないため、装飾部材１は簡易な構成である。【選択図】図１
0003176993.tif 000002
【実用新案登録請求の範囲】
【請求項１】
ナンバープレートを装飾する装飾部材において、
前記ナンバープレートの周囲に配され、光を反射する反射部を備えることを特徴とする装飾部材。
【請求項２】
前記反射部は、再帰反射性を有することを特徴とする請求項１に記載の装飾部材。
【請求項３】
前記ナンバープレートの裏面に対面配置されて前記ナンバープレートに共締めされ、前記ナンバープレートの周囲にてその周縁部が露出する板状物を用いてなり、
前記反射部は、前記板状物の少なくとも前記ナンバープレートに対面する面の前記周縁部に設けられていることを特徴とする請求項１又は２に記載の装飾部材。
【請求項４】
枠状物を用いてなり、
該枠状物は弾性を有し、
前記枠状物の内周部は、前記ナンバープレートの周縁部と前記ナンバープレートが取り付けられる部分との間に無理嵌めされるようにしてあり、
前記枠状物の外周部に、前記ナンバープレートの周囲にて露出する露出部を有し、
前記反射部は、少なくとも前記露出部に設けられていることを特徴とする請求項１又は２に記載の装飾部材。
【請求項５】
枠状物を用いてなり、
該枠状物の内周部に、前記ナンバープレートの周縁部が嵌め込まれる嵌込溝が形成されており、
前記反射部は、前記枠状物の外面の少なくとも前記ナンバープレートの表面側にて露出する部分に設けられていることを特徴とする請求項１又は２に記載の装飾部材。
【請求項６】
前記枠状物は、該枠状物が周方向に分割された複数個の分体を有することを特徴とする請求項４又は５に記載の装飾部材。
【考案の詳細な説明】
【技術分野】
【０００１】
本考案は、車両に取り付けられるナンバープレートを装飾する装飾部材に関する。
【背景技術】
【０００２】
従来、ナンバープレートに取り付けられてナンバープレートを装飾する装飾部材が提案されている（特許文献１，２参照）。特許文献１に記載の装飾部材は、ナンバープレートの周囲に配されるフレーム部材、表示板、又はアクセサリーパーツ等を発光させるか、又はこれらを照明することによって、ナンバープレートの装飾性を高めている。特許文献２に記載の装飾部材は、ナンバープレートの周囲に配される装飾部を発光させるか、又は、装飾部の発光によってナンバープレートを照明することによって、ナンバープレートの装飾性を高めている。
【先行技術文献】
【特許文献】
【０００３】
【特許文献１】特許第４６８００６０号公報
【特許文献２】登録実用新案第３０１５３４４号公報
【考案の概要】
【考案が解決しようとする課題】
【０００４】
しかしながら、特許文献１に記載の発明及び特許文献２に記載の考案は、何れも発光又は照明のための光源を必要とするため、構成が複雑である。
【０００５】
本考案は斯かる事情に鑑みてなされたものであり、その主たる目的は、ナンバープレートの周囲に配された反射部にて光を反射する構成とすることにより、ナンバープレートの装飾性を向上させることができる簡易な構成の装飾部材を提供することにある。
【課題を解決するための手段】
【０００６】
第１考案に係る装飾部材は、ナンバープレートを装飾する装飾部材において、前記ナンバープレートの周囲に配され、光を反射する反射部を備えることを特徴とする。
【０００７】
第２考案に係る装飾部材は、前記反射部は、再帰反射性を有することを特徴とする。
【０００８】
第３考案に係る装飾部材は、前記ナンバープレートの裏面に対面配置されて前記ナンバープレートに共締めされ、前記ナンバープレートの周囲にてその周縁部が露出する板状物を用いてなり、前記反射部は、前記板状物の少なくとも前記ナンバープレートに対面する面の前記周縁部に設けられていることを特徴とする。
【０００９】
第４考案に係る装飾部材は、枠状物を用いてなり、該枠状物は弾性を有し、前記枠状物の内周部は、前記ナンバープレートの周縁部と前記ナンバープレートが取り付けられる部分との間に無理嵌めされるようにしてあり、前記枠状物の外周部に、前記ナンバープレートの周囲にて露出する露出部を有し、前記反射部は、少なくとも前記露出部に設けられていることを特徴とする。
【００１０】
第５考案に係る装飾部材は、枠状物を用いてなり、該枠状物の内周部に、前記ナンバープレートの周縁部が嵌め込まれる嵌込溝が形成されており、前記反射部は、前記枠状物の外面の少なくとも前記ナンバープレートの表面側にて露出する部分に設けられていることを特徴とする。
【００１１】
第６考案に係る装飾部材は、前記枠状物は、該枠状物が周方向に分割された複数個の分体を有することを特徴とする。
【００１２】
第１考案にあっては、装飾部材は反射部を備える。反射部は、ナンバープレートの周囲に配される。ナンバープレートは、二輪車又は四輪自動車等の車両に取り付けられる。
光源からの光が反射部に入射すれば、反射部は、自身に入射した光を正反射（鏡面反射）又は乱反射（拡散反射）等する。この光源を、装飾部材が備えている必要はない。何故ならば、反射部は、装飾部材の外部の光源（例えば他の車両の前照灯）からの光を反射すればよいからである。しかも、反射部が光を反射することによって、ナンバープレートの周囲が発光した場合、又はナンバープレートの周囲を照明した場合と同様に、ナンバープレートの装飾性が向上する。
【００１３】
第２考案にあっては、装飾部材は、再帰反射性を有する反射部を備える。
光源からの光が反射部に入射すれば、反射部は、自身に入射した光を光源側へ反射（即ち再帰反射）する。従って、光源側からの反射部（延いては装飾部材）の視認性を高めることができる。
【００１４】
第３考案にあっては、装飾部材は板状物を用いてなる。板状物はナンバープレートの裏面に対面配置される。そして、板状物とナンバープレートとは車両に共締めされる。このため、ナンバープレートが取り付けられる車両に、装飾部材を容易に追加することができる。
板状物及びナンバープレートが車両に共締めされると、板状物の周縁部が、ナンバープレートの周囲にて露出する。
反射部は、板状物の、少なくともナンバープレートに対面する面の周縁部に設けられている。つまり、反射部は、板状物の、ナンバープレートの周囲にて露出する部分に設けられている。故に、板状物及びナンバープレートを車両に共締めすれば、反射部はナンバープレートの周囲に配される。
【００１５】
第４考案にあっては、装飾部材は枠状物を用いてなる。枠状物は弾性を有し、外周部に露出部を有する。枠状物の内周部は、ナンバープレートの周縁部と車両（更に詳細には、車両の、ナンバープレートが取り付けられる部分）との間に無理嵌めされる。このため、ナンバープレートが取り付けられる車両に、装飾部材を容易に追加することができる。
ナンバープレートと車両との間に枠状物の内周部が無理嵌めされると、枠状物の露出部が、ナンバープレートの周囲にて露出する。
反射部は、少なくとも露出部に設けられている。故に、ナンバープレートと車両との間に枠状物の内周部を無理嵌めすれば、反射部はナンバープレートの周囲に配される。
【００１６】
第５考案にあっては、装飾部材は枠状物を用いてなる。枠状物の内周部には嵌込溝が形成されている。ナンバープレートの周縁部は、枠状物の嵌込溝に嵌め込まれる。このため、ナンバープレートが取り付けられる車両に、装飾部材を容易に追加することができる。
ナンバープレートが枠状物に嵌め込まれると、枠状物の外面がナンバープレートの周縁部に配される。
反射部は、枠状物の外面の、少なくともナンバープレートの表面側にて露出する部分に設けられている。故に、ナンバープレートが枠状物に嵌め込まれれば、反射部はナンバープレートの周囲に配される。
【００１７】
第６考案にあっては、枠状物は、複数個の分体を有する。このため、枠状物が例えば１個の枠体からなる場合に比べて、枠状物をナンバープレートの周縁部と車両との間に無理嵌めする作業、又は枠状体にナンバープレートを嵌め込む作業等を、容易に行なうことができる。
【考案の効果】
【００１８】
本考案の装飾部材による場合、反射光を利用するため、自身が光源を備えていない簡易な構成で、車両に取り付けられるナンバープレートの装飾性を向上させることができる。
また、例えば夜間、トンネル内、又は雨天等、視界が悪い環境にあっても、装飾部材からの反射光が、車両の位置を確認したり車間距離を把握したりするときの助けになる。
更に、装飾部材からの反射光によって、ナンバープレートの取り付け位置、延いては車両番号の標示位置がわかりやすくなるため、例えば事故発生時に、咄嗟に車両番号を読み取ることが容易である。
【図面の簡単な説明】
【００１９】
【図１】本考案の実施の形態１に係る装飾部材の構成を示す正面図である。
【図２】本考案の実施の形態１に係る装飾部材の構成を示す斜視図である。
【図３】本考案の実施の形態２に係る装飾部材の構成を示す正面図である。
【図４】本考案の実施の形態２に係る装飾部材の取り付けを説明する模式図である。
【図５】本考案の実施の形態３に係る装飾部材の構成を示す斜視図である。
【図６】本考案の実施の形態３に係る装飾部材の構成を示す拡大斜視図である。
【考案を実施するための形態】
【００２０】
以下、本考案を、その実施の形態を示す図面に基づいて詳述する。
【００２１】
実施の形態  １．
図１及び図２は、本考案の実施の形態１に係る装飾部材１の構成を示す正面図及び斜視図である。
装飾部材１は、ナンバープレート２０が取り付けられる車両に追加される。
まず、ナンバープレート２０について説明する。
ナンバープレート２０は長方形状の板状物を用いてなる。ナンバープレート２０の表面には、車両番号が標示されている。ナンバープレート２０の裏面には、車両番号は標示されていない。ナンバープレート２０は、２本のボルト２１，２１及び図示しない２個のナット等を用いて、図示しない車両に着脱可能に取り付けられる。このために、ナンバープレート２０には、ボルト２１の軸部が挿通される挿通孔２０１が２個、形成されている。
【００２２】
次に、装飾部材１について説明する。
装飾部材１は、長辺（及び短辺）がナンバープレート２０の長辺（及び短辺）よりも長い長方形状の板状物１０を用いてなる。板状物１０は合成樹脂製であるが、これに限定されず、例えば金属製でもよい。板状物１０には、ボルト２１の軸部が挿通される挿通孔１０１が２個、形成されている。挿通孔１０１，１０１間の離隔距離は、ナンバープレート２０の挿通孔２０１，２０１間の離隔距離に対応する。
【００２３】
板状物１０の一面１０ａとナンバープレート２０の裏面とを対面させ、更に、挿通孔１０１，１０１と挿通孔２０１，２０１とを位置合わせすると、板状物１０の周縁部がナンバープレート２０の周縁部から面方向に突出することによって、板状物１０の一面１０ａの周縁部がナンバープレート２０の周囲にて露出する。このとき、板状物１０の周縁部は、ナンバープレート２０の周囲にロ字状に配される。なお、板状物１０の周縁部は、ナンバープレート２０の周囲にて４辺部が全て露出するロ字状配置に限定されず、３辺部が露出するコ字状配置、２辺部が露出するＬ字状配置、又は１辺部が露出するＩ字状配置等でもよい。
【００２４】
装飾部材１は、再帰反射性を有する反射部１１を備えている。
反射部１１は、一面１０ａに全面的に設けられている。このために、一面１０ａには複数個のガラスビーズ又はマイクロプリズム等が配されている。故に、例えば、その一面に全面的に反射部１１が設けられた平板材を適宜の寸法の長方形状に切り出せば、板状物１０を容易に大量生産することができる。
【００２５】
ナンバープレート２０を車両に取り付ける際、作業者は、板状物１０の一面１０ａとナンバープレート２０の裏面とを重ね合わせ、対応する挿通孔１０１，２０１にボルト２１の軸部を挿通して、板状物１０（延いては装飾部材１）とナンバープレート２０とを、車両に共締めする。この結果、反射部１１が、ナンバープレート２０の周囲にロ字状に配される。
【００２６】
以上のような装飾部材１において、反射部１１は、装飾部材１の外部の光源からの光を再帰反射する。反射部１１が光を再帰反射することによって、ナンバープレート２０の周囲が発光した場合又はナンバープレート２０の周囲を照明した場合と同様に、ナンバープレート２０の装飾性を向上させることができる。しかも、このために装飾部材１が光源を備えている必要はない。
更に、反射部１１は、蛍光材、夜光材、又は蓄光材等に比べて、特に夜間における光源側からの視認性が高い。この光源が、他の車両の前照灯である場合、他の車両の運転手に対して装飾部材１を目立たせることができる。
装飾部材１は２本のボルト２１，２１を用いてナンバープレート２０と共に車両にボルト留めされているため、装飾部材１が車両から無用に脱落する虞はない。
更にまた、装飾部材１は、非長方形状（例えば雲型）の板状物を用いてなるナンバープレートを容易に装飾することができる。
【００２７】
なお、反射部１１は、一面１０ａの周縁部にのみ設けられていてもよい。この場合、反射部１１が必要最小限の領域に設けられるため、反射部１１の製造コストが低減される。
また、反射部１１は、一面１０ａのみならず、一面１０ａの裏面にも設けられていてもよい。この場合、装飾部材１はリバーシブルに用いることができる。
更に、板状物１０は、中央部に貫通孔が形成されたロ字板状でもよい。また、板状物１０は、長方形状又はロ字板状に限定されず、コ字板状、Ｌ字板状、又は雲型板状等でもよい。
更にまた、反射部１１は、光を再帰反射する構成に限定されず、正反射又は乱反射する構成でもよく、一部は再帰反射し、他部は乱反射するような構成でもよい。
【００２８】
実施の形態  ２．
図３は、本考案の実施の形態２に係る装飾部材４の構成を示す正面図である。図４は、装飾部材４の取り付けを説明する模式図であり、図３におけるIV−IV線の断面図を含む。
装飾部材４は、実施の形態１にて説明したナンバープレート２０に取り付けられる。以下では、ナンバープレート２０が車両Ｖの前面Ｆに取り付けられている場合を説明する。その他、実施の形態１に対応する部分には同一符号を付してそれらの説明を省略する。
装飾部材４は、矩形環状の枠状物４０を用いてなる。
枠状物４０は、弾性を有する成型品であり、４辺部の一ヶ所（図３においては右下角部）が開放可能に切断されたような形状をなしている。枠状物４０の周方向に直交する断面形状は矩形状をなしている。枠状物４０の厚みは、ナンバープレート２０の裏面と車両Ｖの前面Ｆとの離隔距離よりも長い。
【００２９】
装飾部材４は、再帰反射性を有する反射部４１を備えている。反射部４１は、枠状物４０の外周部４ｂの表面の内、外周面を除く部分に形成されている。反射部４１が形成されている面は、本発明の実施の形態における露出部４２，４２として機能する。
【００３０】
次に、装飾部材４を取り付ける手順を説明する。作業者は、枠状物４０の弾性を利用して枠状物４０を開放し、車両Ｖの前面Ｆに取り付けられているナンバープレート２０の周縁部に巻き掛けるようにしながら、枠状物４０の内周部４ａをナンバープレート２０の周縁部と車両Ｖの前面Ｆとの間に無理嵌めする。このとき、作業者は、枠状物４０の外周部４ｂが、ナンバープレート２０の周縁部と車両Ｖの前面Ｆとの間に入り込まないようにする。この結果、ナンバープレート２０の周囲にて、手前側に配された露出部４２が露出する。延いては、反射部４１が、ナンバープレート２０の周囲にロ字状に配される。
内周部４ａは、ナンバープレート２０の周縁部と車両Ｖの前面Ｆとの間で収縮する。このため、内周部４ａの弾性復元力が働く。故に、枠状物４０は、ナンバープレート２０を有する車両Ｖに対して、着脱可能且つ容易に取り付けることができ、しかも、無用に脱落することが抑制されている。
【００３１】
以上のような装飾部材４は、実施の形態１の装飾部材１と同様に、ナンバープレート２０の装飾性を向上させることができる。しかも、このために装飾部材４が光源を備えている必要はない。更に、装飾部材４は、ナンバープレートが予め固定的に取り付けられている車両に追加することもできる。
ところで、奥側に配された露出部４２は、車両Ｖの前面Ｆに押しつけられるため露出しないが、枠状物４０を前後逆にしてナンバープレート２０の周縁部に巻き掛ければ、露出している露出部４２と露出していない露出部４２とを入れ替えることができる。
【００３２】
なお、装飾部材４は、４辺部が連続している１個の矩形環状の枠状物を用いてなる構成でもよい。また、装飾部材４は、その周方向に２分割以上に分割された複数個の分体を有する枠状物を用いてなる構成でもよい。枠状物は、矩形環状に限定されるものではない。更に、反射部４１は、枠状物４０の、車両Ｖの前面Ｆに押しつけられる面には設けられていなくてもよい。更にまた、反射部４１は、露出部４２，４２のみならず、外周面及び／又は内周部４ａの表面等にも設けられていてもよい。
【００３３】
実施の形態  ３．
図５及び図６は、本考案の実施の形態３に係る装飾部材３の構成を示す斜視図及び拡大斜視図である。
装飾部材３は、実施の形態１にて説明したナンバープレート２０に取り付けられる。その他、実施の形態１に対応する部分には同一符号を付してそれらの説明を省略する。
【００３４】
装飾部材３は、ロ字状の枠状物３２を用いてなる。
枠状物３２の内周部には嵌込溝３３が形成されている。ナンバープレート２０の周縁部は、嵌込溝３３に嵌め込まれる。ただし、嵌込溝３３の幅は、ナンバープレート２０の厚みよりも短い。
枠状物３２は、枠状物３２が周方向に２分割された２個の分体３０，３０を有する。各分体３０は、枠状物３２のロ字の連続する２辺部に相当する。
各分体３０は、ナンバープレート２０の長辺部に対応する第１の杆状部と、ナンバープレート２０の短辺部に対応する第２の杆状部とを有し、第１及び第２の杆状部の一端部同士が一体に連結されたＬ字状をなしている。分体３０の第１及び第２の杆状部夫々には、嵌込溝３３の一部分が形成されている。分体３０は合成ゴム製の弾性部材であるが、これに限定されず、例えば合成樹脂製の弾性部材でもよい。
【００３５】
装飾部材３は、再帰反射性を有する反射部３１を備えている。反射部３１は、枠状物３２の外面に形成されている。枠状物３２の内面（具体的には嵌込溝３３の内面）に反射部３１は設けられていない。
【００３６】
装飾部材３のナンバープレート２０に対する取り付けは、ナンバープレート２０を車両に取り付けた後でもよいが、取り付ける前の方が作業が容易である。
まず、作業者は、２個の分体３０，３０を準備する。次に、作業者は、一方の分体３０の第１の杆状部の嵌込溝３３にナンバープレート２０の一方の長辺部を嵌め込み、分体３０の第２の杆状部の嵌込溝３３にナンバープレート２０の一方の短辺部を嵌め込む。同様に、作業者は、他方の分体３０の嵌込溝３３にナンバープレート２０の他方の長辺部及び短辺部を挿入する。このとき、反射部３１が、ナンバープレート２０の周囲にロ字状に配される。
嵌込溝３３は、ナンバープレート２０によって幅方向に押し広げられる。このため、分体３０の弾性復元力が働く。故に、分体３０は、ナンバープレート２０を有する車両に対して、個別に、且つ着脱可能に、容易に取り付けることができ、しかも、無用に脱落することが抑制されている。
【００３７】
以上のような装飾部材３は、実施の形態１の装飾部材１と同様に、ナンバープレート２０の装飾性を向上させることができる。しかも、このために装飾部材３が光源を備えている必要はない。更に、装飾部材３は、ナンバープレートが予め固定的に取り付けられている車両に追加することもできる。
本実施の形態における反射部３１は、枠状物３２の外面に全面的に形成されているため、枠状物３２を前後逆にして取り付けても問題はない。
【００３８】
なお、装飾部材３は、その周方向に３分割以上に分割された複数個の分体を有する枠状物を用いてなる構成でもよい。また、装飾部材３は、１個のロ字状の枠状物を用いてなる構成でもよい。この場合、枠状物は４辺部が連続している構成でもよく、４辺部の一ヶ所が開放可能に切断された構成でもよい。更に、装飾部材３を構成する枠状物（又は分体）は、弾性を有する構成に限定されない。更にまた、枠状物（又は分体）は、ネジ又は接着剤等を用いてナンバープレート２０の周縁部に取り付けられる構成でもよい。
反射部３１は、枠状物３２の外面の、ナンバープレート２０の表面側にて露出する部分にのみ設けられていてもよい。
【符号の説明】
【００３９】
１，３，４  装飾部材
１０    板状物
１１，３１，４１  反射部
２０  ナンバープレート
３０  分体
３２，４０  枠状物
３３  嵌込溝
４ａ  内周部
４２  露出部
【図１】
0003176993.tif 000003
【図２】
0003176993.tif 000004
【図３】
0003176993.tif 000005
【図４】
0003176993.tif 000006
【図５】
0003176993.tif 000007
【図６】
0003176993.tif 000008